(57)【特許請求の範囲】
【請求項１】
天井面のリフォームに用いる化粧シールであって、
前記天井面に埋め込まれる天井埋込式空調機のうち、前記天井面に露出している外装部分に貼着される粘着面を有するシール材と、
前記シール材を切り抜き又は切り欠く切れ目であり、少なくとも前記天井埋込式空調機の吸込口および吹出口に対応する部位を切り抜き又は切り欠く切れ目と、を備え、
前記シール材は、前記外装部分のうち前記吸込口および吹出口以外の部位を全体的に覆い隠す、
空調機の化粧シール。
【請求項２】
前記シール材は、伸縮性を有する、
請求項１に記載の空調機の化粧シール。
【請求項３】
前記切れ目は、スリット状である、
請求項１または２に記載の空調機の化粧シール。
【発明の詳細な説明】
【技術分野】
【０００１】
本発明は、空調機の化粧シールに関する。
【背景技術】
【０００２】
企業や住人が入居している建物では、内装のリフォームを行う場合がある。例えば、建物に入居していた企業や住人が諸事情により退去した場合、新たな入居者を獲得するために修繕目的等のリフォームを行うことがある（例えば、特許文献１を参照）。
【先行技術文献】
【特許文献】
【０００３】
【特許文献１】特開２００４−２３８８３２号公報
【発明の概要】
【発明が解決しようとする課題】
【０００４】
室内をリフォームする場合、天井面や壁面、床面の内装材は貼り替え、或いは塗装で対応することになる。一方、天井面に埋め込まれている空調機や照明器具、壁面に設けられているスイッチやコンセント等の電材の化粧プレート、空調機のコントローラ、その他各種の設備類は、表面の黄ばみや傷が著しい場合、部品交換で対応することになる。しかし、天井面に埋め込まれている空調機は、表面を構成する部材だけでも高価であり、電材の化粧プレートのように安価ではない。また、天井面に埋め込まれている空調機の表面を構成する部材の交換工事は、空調機を取り扱う専門の業者が行うので、壁紙の貼り換えや塗装といった内装工事を専門に行う業者とは別に費用の見積や工事のスケジュール調整が必要となる。よって、部品交換が見送られ、リフォーム後も天井面に空調機が黄ばんだまま残っていることがある。
【０００５】
そこで、本発明は、天井面に埋め込まれた空調機の表面を含む天井面のリフォームを容易に実現できる空調機の化粧シールを提供することを課題とする。
【課題を解決するための手段】
【０００６】
上記課題を解決するため、本発明は、天井面のリフォームに用いる化粧シールであって、天井面に露出している空調機の外装部分に貼着されるシール材に、空調機の吸込口および吹出口に対応する部位を切り抜き又は切り欠く切れ目を設けることにした。
【０００７】
詳細には、天井面のリフォームに用いる化粧シールであって、前記天井面に埋め込まれる天井埋込式空調機のうち、前記天井面に露出している外装部分に貼着される粘着面を有するシール材と、前記シール材を切り抜き又は切り欠く切れ目であり、少なくとも前記天井埋込式空調機の吸込口および吹出口に対応する部位を切り抜き又は切り欠く切れ目と、を備える。
【０００８】
上記化粧シールは、天井面に露出している外装部分に貼着される粘着面を有するシール材で空調機の表面を覆い隠すことにより、空調機の外装の部品を交換する場合よりも容易に天井面のリフォームを実現しようとするものである。しかし、単なる普通のシールを空調機の表面に貼り付けた場合、空調機の吸込口および吹出口が覆われてしまい、空調機の運転に支障がある。この点、上記化粧シールであれば、少なくとも吸込口および吹出口に対応する部位を切り抜き又は切り欠く切れ目が設けられているので、空調機の外装部分に貼り付けても空調機の運転に支障は生じない。また、上記化粧シールは、空調機の外観として支配的な部位、すなわち、吸込口および吹出口以外の部位を、部分的あるいは全体的
に覆うことにより、空調機が仮に黄ばんでいてもこれを覆い隠すことができる。
【０００９】
なお、前記シール材は、伸縮性を有していてもよい。シール材に伸縮性があれば、丸みを帯びた外装であっても、シールにしわを生じさせることなく空調機の外装に密着させることができる。
【００１０】
また、切れ目は、スリット状であってもよい。スリット状の切れ目は直線的なので審美性の観点から好ましい。
【発明の効果】
【００１１】
上記化粧シールであれば、天井面に埋め込まれた空調機の表面を含む天井面のリフォームを容易に実現できる。
【図面の簡単な説明】
【００１２】
【図１】図１は、実施形態に係る化粧シールの一例を示した斜視図である。
【図２】図２は、化粧シールを貼り付ける空調機と化粧シールとを並べて示した図の一例である。
【図３】図３は、化粧シールの貼り付け方法を示した図の一例である。
【図４】図４は、変形例に係る化粧シールと空調機とを並べて示した図の一例である。
【図５】図５は、空調機の外装に貼り付けるシールの剥離紙の切り込みを示した図である。
【図６】図６は、シールの位置決めにおいて要となる部分の剥離紙が他の部分の剥離紙と切り込みで切り分けられたシールを空調機の外装に貼り付ける作業の手順の一例を示した図である。
【発明を実施するための形態】
【００１３】
以下、本発明の実施形態について説明する。以下に示す実施形態は例示であり、本発明の技術的範囲はこれらに限定されるものではない。
【００１４】
図１は、実施形態に係る化粧シールの一例を示した斜視図である。化粧シール１は、天井面のリフォームに用いる化粧シールであり、シール材２を備えている。シール材２は、裏面が粘着面になっており、各種の物品に貼着可能である。また、シール材２には、切れ目３が形成されている。なお、シール材２の表面は、天井や壁の色として一般的に使われる無地白色であってもよいが、無地白色以外であってもよい。シール材２の表面に各種の装飾を施した場合、リフォーム後の室内に装飾的効果を付与することができる。切れ目３は、直線的な切れ目となるスリット状のものが審美性の観点から好ましいが、ミシン目状の切れ目であってもよい。
【００１５】
図２は、化粧シール１を貼り付ける空調機と化粧シール１とを並べて示した図の一例である。化粧シール１は、例えば、図２に示す空調機１０へ貼り付けられる。化粧シール１を貼り付ける空調機１０は、天井面に埋め込まれる天井埋込式空調機であり、図２には、空調機１０のうち、天井面に露出する外装部分が図示されている。空調機１０には、吸込口１１Ｓや吹出口１１Ｆが備わっている。吸込口１１Ｓや吹出口１１Ｆを化粧シール１で覆い隠すことはできないため、化粧シール１には、吸込口１１Ｓに対応する部位を切り抜き又は切り欠く切れ目３Ｓ、及び、吹出口１１Ｆに対応する部位を切り抜き又は切り欠く切れ目３Ｆが備わっている。
【００１６】
図３は、化粧シール１の貼り付け方法を示した図の一例である。化粧シール１を空調機１０に貼り付ける場合、例えば、図３に示すように、空調機１０の外装部分の各々に貼り
付けるシール４ａ〜ｆを化粧シール１の台紙（剥離紙）から各々剥がす。そして、化粧シール１から剥がしたシール４ａ〜ｆを、空調機１０の外装部分のそれぞれ対応する部位に貼り付ける。化粧シール１から剥がしたシール４ａ〜ｆを、空調機１０の外装部分のそれぞれ対応する部位に貼り付けることにより、空調機１０のうち天井面に露出している外装部分の大部分がシール４ａ〜ｆで覆われた状態になる。
【００１７】
室内をリフォームする場合、天井面や壁面、床面の内装材は貼り替え、或いは塗装で対応可能である一方、天井面に埋め込まれている空調機の部品を交換することは費用面で難しい場合がある。よって、空調機の外装の黄ばみや傷が著しい場合であっても、外装の部品交換が見送られ、リフォーム後も天井面に空調機が黄ばんだまま残っていることがある。しかし、上記実施形態に係る化粧シール１であれば、空調機１０にシール４ａ〜ｆを貼り付けることにより、空調機１０が仮に黄ばんでいても覆い隠すことができる。また、上記実施形態に係る化粧シール１は、空調機１０の外装の部品交換に伴う費用よりも遥かに低価格で提供できる。よって、上記実施形態に係る化粧シール１であれば、天井面に埋め込まれた空調機１０の表面を含む天井面のリフォームを低価格で実現することができる。また、天井面に埋め込まれている空調機１０の表面を構成する部材の交換工事を伴わないため、空調機１０を取り扱う専門の業者に対する費用の見積や工事のスケジュール調整も不要である。従って、上記実施形態に係る化粧シール１を使えば、天井面に埋め込まれた空調機１０の表面を含む天井面のリフォームを容易に実現できる。
【００１８】
シール材２の素材は如何なるものであってもよいが、外装が平らでない空調機用の場合には伸縮性の素材が好ましい。シール材２に伸縮性があれば、丸みを帯びた外装であっても、各シール４ａ〜ｆにしわを生じさせることなく空調機１０の外装に密着させることができる。
【００１９】
ところで、空調機１０の外装は、機種毎に異なる。そこで、化粧シール１に形成する切れ目３は、貼り付け対象の空調機の形状に合わせたものとする。化粧シール１の製造販売に際しては、切れ目３を設けた化粧シール１を空調機の機種毎に予め用意しておいてもよいし、空調機の機種を特定可能な情報を含んだオーダーを受けると、空調機メーカー等から提供されている空調機の図面を基にして切れ目３を設けた化粧シール１を製造してもよい。
【００２０】
空調機１０の外装のうち、化粧シール１で覆うべき箇所は、例えば、次のような基準で決定することができる。すなわち、化粧シール１で覆うべき箇所としては、視覚的に見えやすい部分が挙げられる。視覚的に見えやすい部分とは、例えば、空調機１０の外装を形成するいくつかのパーツの中でも比較的大きいパーツの表面部分が挙げられる。また、化粧シール１で覆うべき箇所としては、リフォームされた天井面と比較して差異が目立ちやすい部分が挙げられる。リフォームされた天井面と比較して差異が目立ちやすい箇所としては、例えば、空調機１０の外装を形成するパーツの中でも、空調機１０周辺の天井面に比較的近い、空調機１０の外装の縁の部分を形づくるパーツの表面部分が挙げられる。
【００２１】
一方、化粧シール１で覆うべきでない箇所としては、少なくとも空調機１０の吸込口１１Ｓや吹出口１１Ｆが挙げられる他、例えば、光学式のリモコンが付属する空調機の場合にはリモコンの受光部が挙げられ、室内の状態を検知するセンサが外装面に設けられている空調機の場合にはセンサの部分が挙げられる。また、化粧シール１で覆う必要性に乏しい箇所としては、例えば、吸込口１１Ｓに設けられている複雑な形のグレーチング状の部材等が挙げられる。
【００２２】
化粧シール１の切れ目３は、上記のような基準に従って選定された箇所を覆うシール４ａ〜ｆが出来上がるように形成される。
【００２３】
なお、上記実施形態では、空調機１０の外装と同様の配置構成の化粧シール１を図示していたが、化粧シール１は、例えば、以下のように変形してもよい。図４は、変形例に係る化粧シール１’と空調機１０とを並べて示した図の一例であり、図４（Ａ）に化粧シール１’を、図４（Ｂ）に空調機１０を示している。図４（Ａ）に示す化粧シール１’の各シールに付されている丸数字が、図４（Ｂ）に示す空調機１０の外装の各部に付されている丸数字に対応している。上記実施形態に係る化粧シール１は、例えば、図４（Ａ）に示す化粧シール１’のように、空調機１０の外装の各部に貼着する各シールが互いに切り分けられていてもよい。そして、互いに切り分けられた各シールに、吸込口１１Ｓに対応する部位を切り抜き又は切り欠く切れ目３Ｓや、吹出口１１Ｆに対応する部位を切り抜き又は切り欠く切れ目３Ｆが設けられていてもよい。
【００２４】
ところで、上記化粧シール１，１’の剥離紙は、例えば、以下のようにカットされていることが好ましい。図５は、空調機１０の外装に貼り付けるシールの剥離紙の切り込みを示した図である。空調機１０の外装に貼り付けるシールは、例えば、図５に示すように、シールの位置決めにおいて要となる部分の剥離紙５Ｋが、他の部分の剥離紙５Ｔと切り込み６で切り分けられていてもよい。シールの位置決めにおいて要となる部分の剥離紙５Ｋが他の部分の剥離紙５Ｔと切り分けられていれば、シールを空調機１０の外装に貼り付けやすい。
【００２５】
図６は、シールの位置決めにおいて要となる部分の剥離紙が他の部分の剥離紙と切り込みで切り分けられたシールを空調機１０の外装に貼り付ける作業の手順の一例を示した図である。切り込み６によって剥離紙が切り分けられたシール４を空調機１０の外装に貼り付ける場合、例えば、図６に示すように、まず、剥離紙５Ｋをシール４から剥がす（図６（Ａ））。次に、シール４を空調機１０の外装の所定部分に位置合わせしながら仮付けする（図６（Ｂ））。次に、剥離紙５Ｔをシール４から剥がし、シール４を空調機１０の外装に貼り付ける（図６（Ｃ））。
【００２６】
シール４の位置決めにおいて要となる部分の剥離紙５Ｋが、他の部分の剥離紙５Ｔと切り込み６で切り分けられていれば、シール４の位置決めが容易である。なお、シール４の位置決めにおいて要となる部分とは、当該部分において位置ずれが生じると当該シール４が規定の貼着部分からはみ出すことになる部分であり、例えば、空調機１０の外装の貼着部分の縁のコーナー部分等を挙げることができる。
【符号の説明】
【００２７】
１，１’・・化粧シール：２・・シール材：３，３Ｓ，３Ｆ・・切れ目：４，４ａ〜ｆ・・シール：５Ｋ，５Ｔ・・剥離紙：６・・切り込み：１０・・空調機：１１Ｓ・・吸込口：１１Ｆ・・吹出口
【図１】
0006741398.tif 000002
【図２】
0006741398.tif 000003
【図３】
0006741398.tif 000004
【図４】
0006741398.tif 000005
【図５】
0006741398.tif 000006
【図６】
0006741398.tif 000007